(57)【特許請求の範囲】
【請求項１】
複数のコンポーネントキャリアで送信される複数の下りデータの受信成否パターンに応じたコンポーネントキャリアと信号点との組み合わせで、端末が一つの応答信号をフィードバックするチャネルセレクションを用いた基地局であって、
複数セル間の複数のコンポーネントキャリアの干渉耐性に関するパラメータに基づいて、コンポーネントキャリアと信号点との前記組み合わせのルールを決定する制御手段と、
前記応答信号を受信する受信手段と、
決定された前記組み合わせのルールに基づいて、受信された前記応答信号のフィードバックに用いられた、前記コンポーネントキャリアと前記信号点との組み合わせから前記受信成否パターンを特定する特定手段と、
を具備する基地局。
【請求項２】
前記干渉耐性に関するパラメータは、各コンポーネントキャリアの干渉耐性、各コンポーネントキャリアの最大送信電力、各コンポーネントキャリアのパワーヘッドルーム値、各コンポーネントキャリアの下りデータチャネルの誤り率、前記複数のコンポーネントキャリアで送信される下りデータの再送回数、又は、各コンポーネントキャリアの下り制御チャネルの示す変調方式若しくは符号化方式である、
請求項１に記載の基地局。
【請求項３】
前記組み合わせのルールでは、前記下りデータが２つのコンポーネントキャリアで送信され、且つ、前記複数セルの内の第１セルの前記２つのコンポーネントキャリアの第１コンポーネントキャリアが第２コンポーネントキャリアよりも干渉耐性が高い場合、前記第１セルと異なる第２セルの前記第１コンポーネントキャリアに対応付けられるコンスタレーションに含まれる信号点の数は、前記第２セルの前記第２コンポーネントキャリアに対応付けられるコンスタレーションに含まれる信号点の数よりも多い、
請求項１に記載の基地局。
【請求項４】
前記組み合わせのルールでは、前記下りデータが２つのコンポーネントキャリアで送信され、且つ、前記複数セルの内の第１セルの前記２つのコンポーネントキャリアの第１コンポーネントキャリアが第２コンポーネントキャリアよりも干渉耐性が高い場合、前記第１セルと異なる第２セルの前記第１コンポーネントキャリアに対応付けられるコンスタレーションに含まれる信号点が利用される確率の合計は、前記第２セルの前記第２コンポーネントキャリアに対応付けられるコンスタレーションに含まれる信号点が利用される確率の合計よりも大きい、
請求項１に記載の基地局。
【請求項５】
複数のコンポーネントキャリアで送信される複数の下りデータの受信成否パターンに応じたコンポーネントキャリアと信号点との組み合わせで、端末が一つの応答信号をフィードバックするチャネルセレクションを用いた基地局であって、
複数セル間の複数のコンポーネントキャリアの干渉耐性に関するパラメータに基づいて、コンポーネントキャリアと信号点との前記組み合わせのルールを決定する制御手段と、
前記複数のコンポーネントキャリアの複数の下りデータと、前記組み合わせのルールを示す情報を端末へ送信する送信手段と、
を具備する基地局。
【請求項６】
前記組み合わせのルールでは、前記下りデータが２つのコンポーネントキャリアで送信され、且つ、前記複数セルの内の第１セルの前記２つのコンポーネントキャリアの第１コンポーネントキャリアが第２コンポーネントキャリアよりも干渉耐性が高い場合、前記第１セルと異なる第２セルの前記第１コンポーネントキャリアに対応付けられるコンスタレーションに含まれる信号点の数は、前記第２セルの前記第２コンポーネントキャリアに対応付けられるコンスタレーションに含まれる信号点の数よりも多い、
請求項５に記載の基地局。
【請求項７】
前記組み合わせのルールでは、前記下りデータが２つのコンポーネントキャリアで送信され、且つ、前記複数セルの内の第１セルの前記２つのコンポーネントキャリアの第１コンポーネントキャリアが第２コンポーネントキャリアよりも干渉耐性が高い場合、前記第１セルと異なる第２セルの前記第１コンポーネントキャリアに対応付けられるコンスタレーションに含まれる信号点が利用される確率の合計は、前記第２セルの前記第２コンポーネントキャリアに対応付けられるコンスタレーションに含まれる信号点が利用される確率の合計よりも大きい、
請求項５に記載の基地局。
【請求項８】
複数のコンポーネントキャリアで送信される複数の下りデータの受信成否パターンに応じたコンポーネントキャリアと信号点との組み合わせで、一つの応答信号をフィードバックするチャネルセレクションを用いた端末であって、
複数のコンポーネントキャリアで複数の下りデータを受信する受信手段と、
コンポーネントキャリアと信号点との前記組み合わせのルールを決定する制御手段と、
決定された前記組み合わせのルールに基づいて、前記応答信号を基地局へ送信する送信手段と、
を具備し、
前記制御手段は、前記基地局によって前記複数のコンポーネントキャリアの干渉耐性に基づいて決定された前記組み合わせのルールを示す情報、又は、複数セル間の複数のコンポーネントキャリアの干渉耐性に関するパラメータに基づいて、前記組み合わせのルールを決定する、
端末。
【請求項９】
前記干渉耐性に関するパラメータは、各コンポーネントキャリアの干渉耐性、各コンポーネントキャリアの最大送信電力、各コンポーネントキャリアのパワーヘッドルーム値、各コンポーネントキャリアの下りデータチャネルの誤り率、前記複数のコンポーネントキャリアで送信される下りデータの再送回数、又は、各コンポーネントキャリアの下り制御チャネルの示す変調方式若しくは符号化方式である、
請求項８に記載の端末。
【請求項１０】
前記組み合わせのルールでは、前記下りデータが２つのコンポーネントキャリアで受信され、且つ、前記複数セルの内の第１セルの前記２つのコンポーネントキャリアの第１コンポーネントキャリアが第２コンポーネントキャリアよりも干渉耐性が高い場合、前記第１セルと異なる第２セルの前記第１コンポーネントキャリアに対応付けられるコンスタレーションに含まれる信号点の数は、前記第２セルの前記第２コンポーネントキャリアに対応付けられるコンスタレーションに含まれる信号点の数よりも多い、
請求項８に記載の端末。
【請求項１１】
前記組み合わせのルールでは、前記下りデータが２つのコンポーネントキャリアで受信され、且つ、前記複数セルの内の第１セルの前記２つのコンポーネントキャリアの第１コンポーネントキャリアが第２コンポーネントキャリアよりも干渉耐性が高い場合、前記第１セルと異なる第２セルの前記第１コンポーネントキャリアに対応付けられるコンスタレーションに含まれる信号点が利用される確率の合計は、前記第２セルの前記第２コンポーネントキャリアに対応付けられるコンスタレーションに含まれる信号点が利用される確率の合計よりも大きい、
請求項８に記載の端末。
【請求項１２】
複数のコンポーネントキャリアで送信される複数の下りデータの受信成否パターンに応じたコンポーネントキャリアと信号点との組み合わせで、端末が一つの応答信号をフィードバックするチャネルセレクションを用いた再送制御方法であって、
複数セル間の複数のコンポーネントキャリアの干渉耐性に関するパラメータに基づいて、コンポーネントキャリアと信号点との前記組み合わせのルールを決定するステップと、
前記応答信号を受信するステップと、
決定された前記組み合わせのルールに基づいて、受信された前記応答信号のフィードバックに用いられた、前記コンポーネントキャリアと前記信号点との組み合わせから前記受信成否パターンを特定するステップ、
を具備する再送制御方法。
【請求項１３】
複数のコンポーネントキャリアで送信される複数の下りデータの受信成否パターンに応じたコンポーネントキャリアと信号点との組み合わせで、端末が一つの応答信号をフィードバックするチャネルセレクションを用いた再送制御方法であって、
複数セル間の複数のコンポーネントキャリアの干渉耐性に関するパラメータに基づいて、コンポーネントキャリアと信号点との前記組み合わせのルールを決定するステップと、
前記複数のコンポーネントキャリアの複数の下りデータと、前記組み合わせのルールを示す情報を端末へ送信する送信ステップと、
を具備する再送制御方法。
【請求項１４】
複数のコンポーネントキャリアで送信される複数の下りデータの受信成否パターンに応じたコンポーネントキャリアと信号点との組み合わせで、一つの応答信号をフィードバックするチャネルセレクションを用いた応答方法であって、
コンポーネントキャリアと信号点との前記組み合わせのルールを決定するステップと、
決定された前記組み合わせのルールに基づいて、前記応答信号を基地局へ送信するステップと、
を具備し、
前記組み合わせのルールは、前記基地局によって前記複数のコンポーネントキャリアの干渉耐性に基づいて決定された前記組み合わせのルールを示す情報、又は、複数セル間の複数のコンポーネントキャリアの干渉耐性に関するパラメータに基づいて、決定される、
応答方法。
【発明の詳細な説明】
【技術分野】
【０００１】
本発明は、基地局、端末、再送制御方法、及び応答方法に関する。
【背景技術】
【０００２】
現在、３ＧＰＰにおいて標準化が進められているLTE-Advancedにおいては、送信帯域をコンポーネントキャリア(CC)単位で区切り、CC毎に上り/下りのパケット伝送を行い、更にCC間でなんらかの協調動作を行うキャリアアグリゲーションが検討されている。なお、下りコンポーネントキャリアは、基地局から報知されるＢＣＨの中の下り周波数帯域情報によって区切られた帯域、または、下り制御チャネル（ＰＤＣＣＨ）が周波数領域に分散配置される場合の分散幅によって定義される帯域として定義されることもある。また、上りコンポーネントキャリアは、基地局から報知されるＢＣＨの中の上り周波数帯域情報によって区切られた帯域、または、中心付近にＰＵＳＣＨ(Physical Uplink Shared CHannel)領域を含み、両端部にＬＴＥ向けのＰＵＣＣＨを含む２０ＭＨｚ以下の通信帯域の基本単位として定義されることもある。【０００３】
なお，コンポーネントキャリアは，物理セル番号とキャリア周波数番号で定義されてもよく、セルと呼ばれることもある。【０００４】
また、LTE及びLTE-Advancedにおいては、上り伝送方式として、SC（Single carrier）-FDMAが用いられている。SC-FDMAでは、個別のユーザの送信波形は、シングルキャリアの特徴を持っている。従って、SC-FDMAによれば、CM(Cubic metric)/PARPを低く保つことができる。更に、SC-FDMAは、直交周波数分割多重の特徴を持つため、複数のユーザへのデータをサブキャリア単位で隣接して周波数分割多重(FDM)する多重方法を採用することができる。【０００５】
また、LTE及びLTE-Advancedにおいては、下りパケット伝送レートの高効率化を目的として、H-ARQ（Hybrid Automatic Repeat Request）が採用されている。下りパケット伝送におけるH-ARQでは、下りパケットの受信OK/NGを示すACK/NACKを端末から基地局へフィードバックする応答チャネルとして上り制御チャネル（PUCCH）が用いられる。【０００６】
上り下りの１対のCCで通信を行うLTEでは、１つの下りCCで下りパケットが伝送され、この下りCCに対応する上りCCのPUCCHで応答信号が伝送される。【０００７】
このLTEにおける方式を下りパケット伝送が複数のCCで同時に行われるLTE-Advancedにそのまま適用すると、応答信号も複数のCCで同時に伝送されることになる。この状況において、SC-FDMAによって応答信号を送信しても、SC-FDMAのシングルキャリア特性が失われる。これにより、CM(Cubic metric)/PAPR(peak-to-average power ratio)が増大してしまい（図１参照）、結果として送信波形に歪みが生じてしまう。この歪みを避けるために、送信電力増幅量をカットオフすることも考えられるが、カットオフすると、所要品質を保つことができない。【０００８】
そこで、複数のCC間でPUCCHが同時送信されることを防止するために、チャネルセレクション技術が提案されている。チャネルセレクション技術とは、複数のCCで送信された複数の下りパケットの受信成否パターンに応じて、応答信号の伝送に用いる上りCC及び信号点（コンスタレーション上のシンボル）を変更して、１つの応答信号を伝送する技術である（非特許文献１参照）。すなわち、複数の下りパケットに対するACK/NACK情報を取りまとめて、１つのCCのPUCCHを使って応答信号を送信する技術である（図２、３参照）。ただし、図３中のCC#0 DTXは、DL#0が送信されたと認知するための下り制御情報（つまり、端末がDL#0を受信するために必要な、DL#0より前に送信される下り制御情報）の受信をミスした場合を意味する。
【先行技術文献】
【非特許文献】
【０００９】
【非特許文献１】GPP TS 36.213 V8.7.0   10.1 UE procedure for determining physical uplink control channel assignment
【発明の概要】
【発明が解決しようとする課題】
【００１０】
ところで、セル半径及び収容UE数が互いに異なる複数のセルを柔軟に配置するシステムとして、不均一ネットワーク（Heterogeneous network）が検討されている。Heterogeneous networkでは、セル半径の大きいマクロセル（Macro cell）とセル半径の小さいフェムトセルとが配置される（図４参照）。これらマクロセル及びフェムトセルの両方に対して、上記したLTE及びLTE-Advancedのシステムが適用される。【００１１】
そして、フェムトセルの上り回線に対する干渉電力を適応的に制御するために、CC単位でマクロセルの端末（UE）の送信電力を制御することが考えられる。すなわち、フェムトセルの事情を考慮して、或る上りCCにおける、マクロセルからフェムトセルへの干渉電力が所定値以上にならないように、マクロセルの端末（UE）の送信電力を制御することが考えられる。こうすることで、マクロセルの端末は、CC群の内の一部における送信電力を抑制することで、マクロセル内の他の端末の受信特性を保ちつつ、フェムトセルへの干渉電力も低減できる。この結果、フェムトセルでは、CC間で干渉量に差が生じる。従って、干渉の小さいCCでは、干渉の大きいCCよりも干渉耐性の低い通信方法を用いることができる（図４参照）。すなわち、干渉の大きいCCでの変調方式にBPSKが用いられている場合、干渉の小さいCCでは、干渉耐性は低いが伝送レートが大きくなるQPSKを用いることができる。【００１２】
ここで、図３に示したチャネルセレクションで用いられるコンスタレーションは、第１のCCでは、QPSKに類似したコンスタレーション（QPSKのコンスタレーションの４つの信号点の内の３つに相当）であり、第２のCCでは、BPSKのコンスタレーションである。【００１３】
従って、CC#0及びCC#1の２つのCCを用いたチャネルセレクションの場合、CC#0及びCC#1にそれぞれQPSKに類似したコンスタレーション及びBPSKのコンスタレーションを用いる第１のパターンと、CC#0及びCC#1にそれぞれBPSKのコンスタレーション及びQPSKに類似したコンスタレーションを用いる第２のパターンとが考えられる。一般的に、QPSKのCC#で送信される信号の送信電力と、BPSKのCC#で送信される信号の送信電力とを比べた場合、所要品質を満たすように，QPSKのCC#で送信される信号の送信電力の方が、高い送信電力で送信される。【００１４】
以上のことから、フェムトセルの上りCCで用いられる通信方式とマクロセルの対応上りCCで用いられる通信方式との組み合わせによっては、マクロセルからフェムトセルへの干渉が無視できなくなり、フェムトセルにおける受信特性の劣化が大きくなる問題がある。【００１５】
本発明の目的は、キャリアアグリゲーション及びチャネルセレクションが適用される場合に、近くのセルの受信特性の劣化を防止することができる基地局、端末、再送制御方法、及び応答方法を提供することである。
【課題を解決するための手段】
【００１６】
本発明の基地局の一態様は、複数セル間の複数のコンポーネントキャリアの干渉耐性に関するパラメータに基づいて、前記複数のコンポーネントキャリアで送信される下りデータに対する応答信号を端末がフィードバックするコンポーネントキャリアと信号点との組み合わせルールを変更する制御手段と、前記変更された組み合わせルール情報に対応するコンポーネントキャリア候補と信号点候補との組み合わせを用いて受信処理し、処理結果を出力する受信手段と、前記処理結果に基づいて前記応答信号のフィードバックに用いられた、前記コンポーネントキャリア候補と前記信号点候補との組み合わせを特定する特定手段と、を具備する。【００１７】
本発明の端末の一態様は、複数のコンポーネントキャリアで下りデータを受信する受信手段と、前記複数のコンポーネントキャリアで受信された下りデータに対する応答信号をフィードバックするコンポーネントキャリアと信号点との組み合わせルールを変更する制御手段と、前記変更された組み合わせルールに基づいて、前記応答信号を基地局へ送信する送信手段と、を具備し、前記制御手段は、前記基地局によって前記複数のコンポーネントキャリアの干渉耐性に基づいて決定された前記組み合わせルールを示す情報、又は、複数セル間の複数のコンポーネントキャリアの干渉耐性に関するパラメータに基づいて、前記組み合わせルールを変更する。【００１８】
本発明の再送制御方法の一態様は、複数セル間の複数のコンポーネントキャリアの干渉耐性に関するパラメータに基づいて、前記複数のコンポーネントキャリアで基地局から送信される下りデータに対する応答信号を端末がフィードバックするコンポーネントキャリアと信号点との組み合わせルールを変更するステップと、前記変更された組み合わせルール情報に対応するコンポーネントキャリア候補と信号点候補との組み合わせを用いて受信処理するステップと、前記受信処理の結果に基づいて前記応答信号のフィードバックに用いられた、前記コンポーネントキャリア候補と前記信号点候補との組み合わせを特定するステップ、を具備する。【００１９】
本発明の応答方法の一態様は、複数のコンポーネントキャリアで受信された下りデータに対する応答信号をフィードバックするコンポーネントキャリアと信号点との組み合わせルールを変更するステップと、前記変更された組み合わせルールに基づいて、前記応答信号を基地局へ送信するステップと、を具備し、前記組み合わせルールが、前記基地局によって前記複数のコンポーネントキャリアの干渉耐性に基づいて決定された前記組み合わせルールを示す情報、又は、複数セル間の複数のコンポーネントキャリアの干渉耐性に関するパラメータに基づいて、変更される。
【発明の効果】
【００２０】
本発明によれば、キャリアアグリゲーション及びチャネルセレクションが適用される場合に、近くのセルの受信特性の劣化を防止することができる基地局、端末、再送制御方法、及び応答方法を提供することができる。
【図面の簡単な説明】
【００２１】
【図１】従来の問題点の説明に供する図
【図２】チャネルセレクション技術の説明に供する図
【図３】チャネルセレクション技術の説明に供する図
【図４】不均一ネットワーク（Heterogeneous network）の説明に供する図
【図５】本発明の実施の形態１に係る基地局の構成を示すブロック図
【図６】本発明の実施の形態１に係る端末の構成を示すブロック図
【図７】基地局及び端末の動作説明に供する図
【図８】基地局及び端末の動作説明に供する図
【図９】本発明の実施の形態２に係る基地局及び端末の動作説明に供する図
【図１０】本発明の実施の形態２に係る基地局及び端末の動作説明に供する図
【図１１】本発明の実施の形態３に係る基地局及び端末の動作説明に供する図
【図１２】本発明の実施の形態３に係る基地局及び端末の動作説明に供する図
【図１３】本発明の実施の形態４に係る基地局の構成を示すブロック図
【図１４】本発明の実施の形態４に係る端末の構成を示すブロック図
【図１５】基地局及び端末の動作説明に供する図
【図１６】基地局及び端末の動作説明に供する図
【図１７】基地局及び端末の動作説明に供する図
【図１８】基地局及び端末の動作説明に供する図
【図１９】本発明の実施の形態５に係る基地局及び端末の動作説明に供する図
【発明を実施するための形態】
【００２２】
以下、本発明の実施の形態について図面を参照して詳細に説明する。なお、実施の形態において、同一の構成要素には同一の符号を付し、その説明は重複するので省略する。
【００２３】
［実施の形態１］
［システムの概要］
後述する基地局１００及び端末２００を含む通信システムでは、複数の上りコンポーネントキャリア及び当該複数の上りコンポーネントキャリアと対応づけられた複数のコンポーネントキャリアを使用した通信、つまり、Carrier aggregationによる通信が行われる。
【００２４】
また、この通信システムでは、Carrier aggregationによる通信が行われる場合には、ＡＲＱにおいてChannel Selectionが採用される。すなわち、この通信システムは、例えば、ＬＴＥ−Ａシステムであり、基地局１００は、例えば、ＬＴＥ−Ａ基地局であり、端末２００は、例えば、ＬＴＥ−Ａ端末である。
【００２５】
以下では、コンポーネントキャリアが２つの場合（つまり、コンポーネントキャリア＃１、＃２が用いられる場合）を例に説明する。
【００２６】
［基地局の構成］
図５は、本発明の実施の形態１に係る基地局１００の構成を示すブロック図である。図５において、基地局１００は、応答方式制御部１０１と、符号化部１０２，１０３，１０４と、データ送信制御部１０５，１０６と、変調部１０７，１０８，１０９と、直並列変換部（Ｓ／Ｐ）１１０，１１１，１１２と、多重部１１３と、ＩＦＦＴ部１１４と、ＣＰ付加部１１５と、無線送信部１１６と、無線受信部１１７と、ＣＰ除去部１１８と、ＤＦＴ部１１９と、分離部１２０と、チャネル補償部１２１，１２２と、ＩＤＦＴ部１２３，１２４と、復調部１２５，１２６と、チャネルセレクション判定部１２７とを有する。
【００２７】
応答方式制御部１０１は、基地局１００から複数の下りコンポーネントキャリアで送信された下りデータに対する応答信号を端末２００がフィードバックする上りコンポーネントキャリアと信号点との組み合わせルールを決定し、当該決定されたルールを示す情報を符号化部１０２へ出力する。応答方式制御部１０１は、入力されるフェムトセル情報に基づいて、上記ルールを決定する。このフェムトセル情報には、フェムトセルが使用している複数の上りコンポーネントキャリアの干渉耐性を示す情報が含まれている。そのフェムトセルは、基地局１００がカバーするマクロセルに近接するか又はそのマクロセルより小さく且つそのマクロセルに含まれるセルである。なお、上記ルールの詳細については、後に詳しく説明する。
【００２８】
符号化部１０２は、下り制御データ（上記したルールを示す情報も含まれる）を入力とし、入力データに対して符号化処理（ターボ符号又は畳み込み符号など）を施すと共に、再送制御用にＣＲＣビットを付加する。符号化処理及びＣＲＣビットの付加処理が行われたデータは、変調部１０７で変調される。
【００２９】
符号化部１０３は、コンポーネントキャリア＃０で送信される送信データ（パケット）を入力とし、その送信データに対して符号化処理（ターボ符号又は畳み込み符号など）を施すと共に、再送制御用にＣＲＣビットを付加する。符号化処理及びＣＲＣビットの付加処理が行われたデータは、データ送信制御部１０５へ出力される。
【００３０】
符号化部１０４は、コンポーネントキャリア＃１で送信される送信データ（パケット）を入力とし、その送信データに対して符号化処理（ターボ符号又は畳み込み符号など）を施すと共に、再送制御用にＣＲＣビットを付加する。符号化処理及びＣＲＣビットの付加処理が行われたデータは、データ送信制御部１０６へ出力される。
【００３１】
データ送信制御部１０５は、初回送信時には、符号化後の送信データ（ＣＣ＃０）を保持するとともに変調部１０８へ出力する。符号化後の送信データは、宛先端末２００ごとに保持される。
【００３２】
また、データ送信制御部１０５は、チャネルセレクション判定部１２７からＣＣ＃０で送信した下りデータに対するＮＡＣＫ又はＤＴＸを受け取ると、このＣＣ＃０に対応する保持データを変調部１０８へ出力する。データ送信制御部１０５は、チャネルセレクション判定部１２７からＣＣ＃０で送信した下りデータに対するＡＣＫを受け取ると、このＣＣ＃０に対応する保持データを削除する。
【００３３】
データ送信制御部１０６は、ＣＣ＃１で送信されるデータについて、データ送信制御部１０５と同様の処理を行う。
【００３４】
データ送信制御部１０５及びデータ送信制御部１０６の処理により、宛先端末２００に送信されるデータ全体の再送制御だけでなく、コンポーネントキャリアごとの再送制御も可能になる。
【００３５】
変調部１０８は、データ送信制御部１０５から受け取る送信データを変調し、変調部１０９は、データ送信制御部１０６から受け取る送信データを変調する。こうして、ＣＣ＃０及びＣＣ＃１から送信される変調信号が、それぞれ形成される。
【００３６】
上記のように、変調部１０７，１０８，１０９において形成された変調信号は、ここではＯＦＤＭ信号として送信されるので、後述のように、直並列変換部１１０，１１１，１１２と、多重部１１３と、ＩＦＦＴ部１１４と、ＣＰ付加部１１５とによる処理が行われる。
【００３７】
直並列変換部１１０は、変調部１０７で形成された変調信号を直並列変換し、得られた並列信号群を多重部１１３へ出力する。直並列変換部１１１，１１２は、変調部１０８及び変調部１０９で形成された変調信号に対して、直並列変換部１１０と同様の処理を行う。
【００３８】
多重部１１３は、直並列変換部１１０，１１１，１１２から受け取る信号を多重する。すなわち、多重部１１３では、下りＣＣ＃０で送信されるパケット、下りＣＣ＃１で送信されるパケット、及び、制御チャネルが多重される。
【００３９】
ＩＦＦＴ部１１４は、多重部１１３で多重された信号に対してＩＦＦＴ処理を行い、周波数領域の信号から時間領域の信号へ変換することにより、ＯＦＤＭシンボルを形成する。
【００４０】
ＣＰ付加部１１５は、ＩＦＦＴ部１１４で得られたＯＦＤＭシンボルの後部をＣＰとしてそのＯＦＤＭシンボルの先頭に付加する。
【００４１】
無線送信部１１６は、ＣＰ付加部１１５から受け取るＯＦＤＭ信号を無線送信処理（Ｄ／Ａ変換、アップコンバート等）し、アンテナを介して送信する。
【００４２】
無線受信部１１７は、アンテナを介して受信した信号を無線受信処理（ダウンコンバート、Ａ／Ｄ変換等）する。
【００４３】
ＣＰ除去部１１８は、無線受信処理された後の受信信号からＣＰを除去する。
【００４４】
ＤＦＴ部１１９は、ＣＰを除去された信号に対してＤＦＴ処理を行い、受信信号を周波数領域の信号に変換する。
【００４５】
分離部１２０は、ＤＦＴ部１１９から受け取る受信信号から、各上りＣＣのＰＵＣＣＨリソース領域に対応する信号を抽出する。ここでは、上りＣＣ＃０及び上りＣＣ＃１が用いられるので、分離部１２０は、ＤＦＴ部１１９から受け取る受信信号から上りＣＣ＃０のＰＵＣＣＨリソース領域に対応する信号を抽出し、チャネル補償部１２１へ出力する。また、分離部１２０は、ＤＦＴ部１１９から受け取る受信信号から上りＣＣ＃１のＰＵＣＣＨリソース領域に対応する信号を抽出し、チャネル補償部１２２へ出力する。
【００４６】
チャネル補償部１２１，１２２は、分離部１２０から受け取る信号からパイロットシンボルを抜き出し、そのパイロットシンボルを用いて周波数領域等化処理を行う。
【００４７】
ＩＤＦＴ部１２３，１２４は、チャネル補償後の信号を周波数領域の信号から時間領域の信号へ変換する。
【００４８】
復調部１２５，１２６は、応答方式制御部１０１で決定されたルールに基づいて、復調処理を行う。
【００４９】
チャネルセレクション判定部１２７は、復調部１２５及び復調部１２６で得られた、上りＣＣ毎の復調結果、並びに、応答方式制御部１０１で決定されたルールに基づいて、下りＣＣ＃０及び下りＣＣ＃１で送信された下りデータの誤り検出結果（つまり、ＡＣＫ／ＮＡＣＫ）を判定する。
【００５０】
［端末の説明］
図６は、本発明の実施の形態１に係る端末２００の構成を示すブロック図である。図６において、端末２００は、無線受信部２０１と、ＣＰ除去部２０２と、ＦＦＴ部２０３と、チャネル補償部２０４と、分離部２０５と、並直列変換部（Ｐ／Ｓ）２０６，２０７，２０８と、復調部２０９，２１０，２１１と、復号部２１２，２１３，２１４と、誤り判定部２１５，２１６と、制御部２１７と、チャネルセレクション部２１８と、変調部２１９，２２０と、ＤＦＴ部２２１，２２２と、多重部２２３と、ＩＤＦＴ部２２４と、ＣＰ付加部２２５と、無線送信部２２６とを有する。
【００５１】
無線受信部２０１は、アンテナを介して受信した信号を無線受信処理（ダウンコンバート、Ａ／Ｄ変換等）する。
【００５２】
ＣＰ除去部２０２は、無線受信処理された後の受信信号からＣＰを除去する。
【００５３】
ＦＦＴ部２０３は、ＣＰを除去された信号に対してＦＦＴ処理を行い、受信信号を周波数領域の信号に変換する。
【００５４】
チャネル補償部２０４は、ＦＦＴ部２０３から受け取る信号からパイロットシンボルを抜き出し、そのパイロットシンボルを用いて周波数領域等化処理を行う。
【００５５】
分離部２０５は、チャネル補償部２０４から受け取る受信信号から、下り制御チャネル及び各下りＣＣの受信シンボルを抽出する。ここでは、下りＣＣ＃０及び下りＣＣ＃１が用いられるので、分離部２０５は、チャネル補償部２０４から受け取る受信信号から下りＣＣ＃０の受信シンボルを抽出し、並直列変換部２０７へ出力する。また、分離部２０５は、チャネル補償部２０４から受け取る受信信号から下りＣＣ＃１の受信シンボルを抽出し、並直列変換部２０８へ出力する。また、分離部２０５は、チャネル補償部２０４から受け取る受信信号から下り制御チャネルを抽出し、並直列変換部２０６へ出力する。
【００５６】
並直列変換部２０６は、分離部２０５から受け取る下り制御チャネルを並直列変換し、得られた直列信号を復調部２０９へ出力する。並直列変換部２０７，２０８は、分離部２０５から受け取る下りＣＣ＃０及び下りＣＣ＃１の受信信号のそれぞれに対して、並直列変換部２０６と同様の処理を行う。
【００５７】
復調部２０９，２１０，２１１は、並直列変換部２０６，２０７，２０８から受け取る信号に対して、復調処理をそれぞれ行う。
【００５８】
復号部２１２は、復調部２０９から受け取る、下り制御チャネルから得られた受信ビット尤度に対して、誤り訂正復号（ターボ復号又はビタビ復号など）を行う。復号部２１３は、復調部２１０から受け取る、下りＣＣ＃０の下りパケットの受信ビット尤度に対して、誤り訂正復号（ターボ復号又はビタビ復号など）を行う。復号部２１４は、復調部２１１から受け取る、下りＣＣ＃１の下りパケットの受信ビット尤度に対して、誤り訂正復号（ターボ復号又はビタビ復号など）を行う。
【００５９】
誤り判定部２１５は、復号部２１３で得られた復号結果（つまり、下りＣＣ＃０の下りパケットの復号結果）に誤りが有るか否かを判定する。また、誤り判定部２１６は、復号部２１４で得られた復号結果（つまり、下りＣＣ＃１の下りパケットの復号結果）に誤りが有るか否かを判定する。
【００６０】
制御部２１７は、下りＣＣ＃０の下りパケット及び下りＣＣ＃１の下りパケットの誤り検出結果、並びに、復号部２１２から受け取る下り制御チャネルに含まれる、上記ルールに関する情報に基づいて、応答信号の送信を制御する。
【００６１】
具体的には、制御部２１７は、先ず、上記ルールに関する情報に基づいて、応答信号の送信ルールを選択する。
【００６２】
制御部２１７は、次に、選択した送信ルール、並びに、下りＣＣ＃０の下りパケット及び下りＣＣ＃１の下りパケットの誤り検出結果（つまり、受信成否パターン）に基づいて、応答信号の送信に用いる上りコンポーネントキャリアと信号点との組み合わせを決定する。こうして決定された応答信号の送信に用いる上りコンポーネントキャリアの情報は、チャネルセレクション部２１８へ出力される一方、信号点の情報は、変調部２１９及び変調部２２０へ出力される。
【００６３】
この制御部２１７における処理については、後に詳しく説明する。
【００６４】
チャネルセレクション部２１８は、制御部２１７から受け取る、上りコンポーネントキャリア情報の示す上りコンポーネントキャリアに対応する変調部へ応答信号を出力する。すなわち、チャネルセレクション部２１８は、制御部２１７から受け取る、上りコンポーネントキャリア情報が上りＣＣ＃０を示している場合には、応答信号を変調部２１９へ出力する一方、上りＣＣ＃１を示している場合には、応答信号を変調部２２０へ出力する。
【００６５】
変調部２１９，２２０は、制御部２１７から受け取る情報の示す信号点を用いて、応答信号を変調する。
【００６６】
ＤＦＴ部２２１，２２２は、変調部２１９，２２０から受け取る変調信号に対してＤＦＴ処理を行い、周波数領域の信号に変換する。
【００６７】
多重部２２３は、ＤＦＴ部２２１，２２２から受け取る信号を多重する。ただし、チャネルセレクション部２１８から変調部２１９，２２０へ応答信号が同時に出力されることはないので、実際上、多重部２２３で多重されることはない。
【００６８】
ＩＤＦＴ部２２４は、多重部２２３から受け取る信号に対してＩＤＦＴ処理を行い、周波数領域の信号から時間領域の信号へ変換することにより、ＯＦＤＭシンボルを形成する。
【００６９】
ＣＰ付加部２２５は、ＩＤＦＴ部２２４で得られたＯＦＤＭシンボルの後部をＣＰとしてそのＯＦＤＭシンボルの先頭に付加する。
【００７０】
無線送信部２２６は、ＣＰ付加部２２５から受け取るＯＦＤＭ信号を無線送信処理（Ｄ／Ａ変換、アップコンバート等）し、アンテナを介して送信する。
【００７１】
［基地局及び端末の動作］
次に、基地局１００における、上記した上りコンポーネントキャリアと信号点との組み合わせルールの決定方法、及び、端末２００における応答信号の送信ルールの設定方法について説明する。
【００７２】
上述の通り、基地局１００では、応答方式制御部１０１が、フェムトセル情報に基づいて、応答信号を端末２００がフィードバックする上りコンポーネントキャリアと信号点との組み合わせルールを決定する。
【００７３】
具体的には、この組み合わせルールでは、応答信号の送信に用いられる上りコンポーネントキャリアの数だけコンスタレーションが用意される。そして、各コンスタレーションの信号点に、端末２００における上記受信成否パターンが対応づけられている。ここでは、上りＣＣ＃０及び上りＣＣ＃１が応答信号の送信に用いられるので、２つのコンスタレーションが用意されている。そして、第１のコンスタレーションで応答信号の送信に用いられる信号点の数は、第２のコンスタレーションで応答信号の送信に用いられる信号点の数よりも多い。すなわち、第１のコンスタレーションに対応する変調多値数は、第２のコンスタレーションに対応する変調多値数よりも大きい。また、第１のコンスタレーションに含まれる信号点に対して、全てのコンポーネントキャリアの下りパケットの受信に成功したことを示す受信成否パターンが対応づけられている。
【００７４】
そして、応答方式制御部１０１は、フェムトセル情報がフェムトセルにおいて上りＣＣ＃０の方が上りＣＣ＃１よりも干渉耐性が高いことを示している場合には、上りＣＣ＃０に対して第１のコンスタレーションを設定する一方、上りＣＣ＃１に対して第２のコンスタレーションを設定する。すなわち、応答方式制御部１０１は、フェムトセルにおいて高い干渉耐性の変調方式が適用されているコンポーネントキャリアに対応するコンポーネントキャリアに対して、第１のコンスタレーションを設定する。図７では、第１のコンスタレーションにはＱＰＳＫが対応し、第２のコンスタレーションにはＢＰＳＫが対応する。
【００７５】
そして、基地局１００は、応答方式制御部１０１で決定された、上記組み合わせルールに関する情報を端末２００へ送信する。ここで、ＣＣ＃０，＃１と、第１のコンスタレーション及び第２のコンスタレーションとの対応パターンに関する情報を、基地局１００と端末２００との間で予め共有している（図８参照）。従って、基地局１００がその対応パターンに対応するフラグ情報を端末２００へ送信することにより、端末２００は、基地局１００から指示されたルールで応答信号を送信することができる。
【００７６】
上記組み合わせルールに関する情報を受信した端末２００は、そのルールに対応する送信ルールを設定し、当該送信ルール及び受信成否パターンに基づいて、応答信号を送信する。この送信ルールは、上記組み合わせルールと同じである。
【００７７】
このように本実施の形態によれば、基地局１００において応答方式制御部１０１が、フェムトセルの複数の上りコンポーネントキャリアの干渉耐性に基づいて、基地局１００のカバーするマクロセル内に在る端末２００が応答信号のフィードバックに用いる上りコンポーネントキャリアと信号点との組み合わせルールを変更する。この組み合わせルールに関する情報は、端末２００へ通知される。
【００７８】
こうすることで、送信電力を低く抑えることができるコンスタレーションをフェムトセルにおいて干渉耐性の弱い上りコンポーネントキャリアと重なるマクロセルの上りコンポーネントキャリアに対して割り当てることができるので、フェムトセルに対する干渉を低減することができる。
【００７９】
具体的には、上記変更された組み合わせルールでは、下りデータがマクロセルの２つの下りコンポーネントキャリアで送信され、且つ、そのマクロセルの２つの下りコンポーネントキャリアに対応するフェムトセルの２つの上りコンポーネントキャリアの第１コンポーネントキャリアが第２コンポーネントキャリアよりも干渉耐性が高い場合、マクロセルの第１コンポーネントキャリアに対応付けられる第１のコンスタレーションに含まれる信号点候補の数は、マクロセルの第２コンポーネントキャリアに対応付けられる第２のコンスタレーションよりも多い。
【００８０】
また、上記した第１のコンスタレーションに含まれる信号点に対して、全てのコンポーネントキャリアの下りパケットの受信に成功したことを示す受信成否パターンが対応づけられる。ここで、ACK/NACKの発生比率は、通常ACK:NACK=9:1程度である。すなわち、全てのコンポーネントキャリアで下りパケットの受信に成功する受信成否パターンは、他のパターンに比べて、発生確率が高い。このため、応答信号の送信に用いられる確率は、第２のコンスタレーションの方が第１のコンスタレーションよりも低くなる。すなわち、フェムトセルで干渉耐性の弱い上りコンポーネントキャリアと重なるマクロセルの上りコンポーネントキャリアが使用される確率を低減できるので、フェムトセルに対する干渉を低減することができる。
【００８１】
また、本実施の形態によれば、端末２００において制御部２１７が、基地局１００から通知される情報に基づいて、基地局１００のカバーするマクロセルの上りコンポーネントキャリアと信号点との組み合わせルールを変更し、チャネルセレクション部２１８及び変調部２１９，２２０が、上記変更されたルールに従って、複数の下りコンポーネントキャリアで送信された下りデータの受信成否パターンに応じた、マクロセルの上りコンポーネントキャリアと信号点との１つの組み合わせを用いて、応答信号を基地局１００へ送信する。
【００８２】
具体的には、上記した基地局１００から通知される情報は、基地局１００によってフェムトセルの上りコンポーネントキャリアの干渉耐性に基づいて決定された、マクロセルの上りコンポーネントキャリアと信号点との組み合わせルールに関する情報である。
【００８３】
［実施の形態２］
実施の形態２は、端末が、基地局から通知される情報に基づいて、応答信号の送信ルールを変更する点では、実施の形態１と一致する。ただし、実施の形態１では、端末２００は、基地局１００によってフェムトセルの上りコンポーネントキャリアの干渉耐性に基づいて決定された、マクロセルの上りコンポーネントキャリアと信号点との組み合わせルールに関する情報を受信し、当該情報に基づいて、応答信号の送信ルールを変更した。これに対して、実施の形態２では、端末は、基地局から送信される、マクロセルの上りコンポーネントキャリア毎の最大送信電力情報に基づいて、応答信号の送信ルールを変更する。すなわち、実施の形態２の基地局は、上記した組み合わせルールに関する情報を送信する必要がない。このため、ＬＴＥシステムで必要とされているシグナリングに対して、新たなシグナリングを追加する必要がない。
【００８４】
実施の形態２に係る基地局及び端末の基本構成は、実施の形態１と共通するので、図５，６を援用して説明する。
【００８５】
実施の形態２の基地局１００は、ＣＣ毎の最大送信電力に関する情報を端末２００へ通知する。この最大送信電力は、隣接セルにおける許容干渉電力に応じて、基地局１００によって制御される。すなわち、図９に示すように隣接セルであるフェムトセルの干渉耐性が高い上りコンポーネントキャリアと重なるマクロセルの上りコンポーネントキャリアの最大送信電力は、そのフェムトセルの干渉耐性の低い上りコンポーネントキャリアと重なるマクロセルの上りコンポーネントキャリアの最大送信電力に比べて、大きく設定される。
【００８６】
そのため、端末２００は、基地局１００から通知される上りコンポーネントキャリア毎の最大送信電力を比べることにより、フェムトセルにおける上りコンポーネントキャリア間の干渉耐性に関する相対的な関係を認識することができる。
【００８７】
従って、実施の形態２の端末２００では、制御部２１７が、下り制御チャネルに含まれる、上りコンポーネントキャリア毎の最大送信電力に関する情報を取得する。その最大送信電力の大小がフェムトセルにおける上りコンポーネントキャリア間の干渉耐性の大小関係を示すので、制御部２１７は、上りコンポーネントキャリア毎の最大送信電力に基づいて、応答信号のフィードバックに用いる上りコンポーネントキャリアと信号点との組み合わせルール（つまり、応答信号の送信ルール）を変更する。
【００８８】
具体的には、制御部２１７は、図１０に示すように、ＣＣ＃０の最大送信電力がＣＣ＃１の最大送信電力よりも大きい場合（つまり、フェムトセルにおいて上りＣＣ＃０の方が上りＣＣ＃１よりも干渉耐性が高い場合）には、上りＣＣ＃０に対して第１のコンスタレーションを設定する一方、上りＣＣ＃１に対して第２のコンスタレーションを設定する。
【００８９】
一方、制御部２１７は、ＣＣ＃０の最大送信電力がＣＣ＃１の最大送信電力よりも小さい場合（つまり、フェムトセルにおいて上りＣＣ＃０の方が上りＣＣ＃１よりも干渉耐性が低い場合）には、上りＣＣ＃１に対して第１のコンスタレーションを設定する一方、上りＣＣ＃０に対して第２のコンスタレーションを設定する。ここでの第１のコンスタレーション及び第２のコンスタレーションとは、実施の形態１で説明したものと同じである。
【００９０】
［実施の形態３］
実施の形態３も、端末が、基地局から通知される情報に基づいて、応答信号の送信ルールを変更する点では、実施の形態１と一致する。ただし、実施の形態３では、基地局は、端末から送信される、マクロセルの上りコンポーネントキャリア毎のパワーヘッドルーム（ＰＨＲ）情報に基づいて、上記組み合わせルールを変更する。また、端末は、自機で把握しているマクロセルの上りコンポーネントキャリア毎のパワーヘッドルーム（ＰＨＲ）情報に基づいて、応答信号の送信ルールを変更する。すなわち、実施の形態３の基地局は、実施の形態１のように上記組み合わせルールに関する情報を送信する必要がない。このため、ＬＴＥシステムで必要とされているシグナリングに対して、新たなシグナリングを追加する必要がない。
【００９１】
実施の形態３に係る基地局及び端末の基本構成は、実施の形態１と共通するので、図５，６を援用して説明する。
【００９２】
実施の形態３の端末２００は、ＣＣ毎のパワーヘッドルーム（ＰＨＲ）情報に関する情報を基地局１００へ通知する。このパワーヘッドルーム情報は、基地局１００から通知されたＣＣ毎の最大送信電力情報から現在の送信電力を引いた値であり、許容送信電力増幅量を通知するものである。すなわち、図１１に示すように隣接セルであるフェムトセルの干渉耐性が高い上りコンポーネントキャリアと重なるマクロセルの上りコンポーネントキャリアのパワーヘッドルームは、そのフェムトセルの干渉耐性の低い上りコンポーネントキャリアと重なるマクロセルの上りコンポーネントキャリアのパワーヘッドルームに比べて、大きく設定される。
【００９３】
具体的には、基地局１００の応答方式制御部１０１は、図１２に示すように、ＣＣ＃０のパワーヘッドルームがＣＣ＃１のパワーヘッドルームよりも大きい場合（つまり、フェムトセルにおいて上りＣＣ＃０の方が上りＣＣ＃１よりも干渉耐性が高い場合）には、上りＣＣ＃０に対して第１のコンスタレーションを設定する一方、上りＣＣ＃１に対して第２のコンスタレーションを設定する。
【００９４】
一方、応答方式制御部１０１は、図１２に示すように、ＣＣ＃０のパワーヘッドルームがＣＣ＃１のパワーヘッドルームよりも小さい場合（つまり、フェムトセルにおいて上りＣＣ＃０の方が上りＣＣ＃１よりも干渉耐性が低い場合）には、上りＣＣ＃１に対して第１のコンスタレーションを設定する一方、上りＣＣ＃０に対して第２のコンスタレーションを設定する。ここでの第１のコンスタレーション及び第２のコンスタレーションとは、実施の形態１で説明したものと同じである。
【００９５】
実施の形態３の端末２００は、実施の形態２に示したように、マクロセルの上りコンポーネントキャリア毎の最大送信電力情報に基づいて、応答信号の送信ルールを変更しても良いし、基地局１００に対して送信する、ＣＣ毎のパワーヘッドルーム（ＰＨＲ）情報に基づいて、図１２に示すように、応答信号の送信ルールを変更しても良い。
【００９６】
［実施の形態４］
実施の形態４では、端末が応答信号の送信に用いる応答信号送信ルールにおいて、各上りコンポーネントキャリアと対応するコンスタレーションが用いられる確率を平準化する。これにより、或る上りコンポーネントキャリアと対応するコンスタレーションが用いられる確率が突出し、この上りコンポーネントキャリアがフェムトセルにおける干渉耐性の低い上りコンポーネントキャリアと重なる場合に生じる問題を解消することができる。
【００９７】
図１３は、実施の形態４に係る基地局３００の構成を示すブロック図である。図１３において、基地局３００は、制御情報決定部３０１，３０２と、応答方式制御部３０３とを有する。
【００９８】
制御情報決定部３０１，３０２は、下り制御チャネルで送信される制御情報を決定する。制御情報には、基地局３００の下りコンポーネントキャリア毎の下りデータチャネルの誤り率に関連する情報が含まれる。基地局３００の下りコンポーネントキャリア毎の下りデータチャネルの誤り率に関連する情報とは、基地局３００の下りコンポーネントキャリア毎の下りデータチャネルの誤り率、基地局３００の複数の下りコンポーネントキャリアで送信される下りデータの再送回数、又は、基地局３００の下りコンポーネントキャリア毎の下り制御チャネルの変調方式である。
【００９９】
制御情報決定部３０１，３０２は、決定した制御情報を符号化部１０２−１，２及び応答方式制御部３０３へ出力する。
【０１００】
なお、制御情報決定部３０１は、ＣＣ＃０の制御情報を決定する一方、制御情報決定部３０２は、ＣＣ＃１の制御情報を決定する。
【０１０１】
応答方式制御部３０３は、基地局３００から複数の下りコンポーネントキャリアで送信された下りデータに対する応答信号を後述する端末４００がフィードバックする上りコンポーネントキャリアと信号点との組み合わせルールを決定する。応答方式制御部３０３は、制御情報決定部３０１，３０２から受け取る制御情報に基づいて、上記ルールを決定する。
【０１０２】
図１４は、実施の形態４に係る端末４００の構成を示すブロック図である。図１４において端末４００は、制御部４０１を有する。
【０１０３】
制御部４０１は、基地局３００から送信される、下りコンポーネントキャリア毎の下りデータチャネルの誤り率に関連する情報に基づいて、応答信号の送信を制御する。すなわち、制御部４０１は、基地局３００から送信される、下りコンポーネントキャリア毎の下りデータチャネルの誤り率に関連する情報に基づいて、応答信号のフィードバックに用いる上りコンポーネントキャリアと信号点との組み合わせルールを変更する。
【０１０４】
上記変更された組み合わせルールでは、図１５に示すように、下りデータがマクロセルの２つの下りコンポーネントキャリアで送信され、且つ、そのマクロセルの２つの下りコンポーネントキャリアの内の第１コンポーネントキャリア（ＣＣ＃０）での誤り率が第２コンポーネントキャリア（ＣＣ＃１）での誤り率よりも大きい場合、マクロセルの第１コンポーネントキャリアに対応付けられる第１のコンスタレーションに含まれる信号点候補の数は、マクロセルの第２コンポーネントキャリアに対応付けられる第２のコンスタレーションよりも多い。
【０１０５】
また、上記した第１のコンスタレーションに含まれる信号点に対して、全てのコンポーネントキャリアの下りパケットの受信に成功したことを示す受信成否パターンが対応づけられる。なお、前提として、第１コンポーネントキャリアで送信された下りデータの受信に成功し且つ第２コンポーネントキャリアで送信された下りデータの受信に失敗した受信成否パターンは、第１コンポーネントキャリアに対応付けられるコンスタレーションに含まれる信号点と対応付けられる。逆に、第１コンポーネントキャリアで送信された下りデータの受信に失敗し且つ第２コンポーネントキャリアで送信された下りデータの受信に成功した受信成否パターンは、第２コンポーネントキャリアに対応付けられるコンスタレーションに含まれる信号点と対応付けられる。
【０１０６】
上述の通り、基地局３００から送信される、下りコンポーネントキャリア毎の下りデータチャネルの誤り率に関連する情報とは、基地局３００の下りコンポーネントキャリア毎の下りデータチャネルの誤り率、基地局３００の複数の下りコンポーネントキャリアで送信される下りデータの再送回数、又は、基地局３００の下りコンポーネントキャリア毎の下り制御チャネルの変調方式である。
【０１０７】
これらの情報を利用することにより、端末４００は、下りコンポーネントキャリア間の誤り率の大小関係を認識することができる。
【０１０８】
〈再送回数〉
ＨＡＲＱが採用される場合、通常、データチャネルの初回送信時の変調方式、符号化率は、パケット誤り率が0．1(ACK=0．9、 NACK=0．1)程度となるように設定される。そして、データチャネルの再送時のパケット誤り率は、再送パケットによる受信品質の改善によって、前回送信時に比べて改善する。従って、各下りコンポーネントキャリアの再送回数に基づいて、各下りコンポーネントキャリアの誤り率の大小関係を判断することができる。
【０１０９】
従って、制御部４０１は、例えば図１６に示すように、ＣＣ＃０の再送回数がＣＣ＃１の再送回数よりも小さいときには、ＣＣ＃１よりも多くの信号点が含まれるコンスタレーションをＣＣ＃０に対応付ける。一方、ＣＣ＃０の再送回数がＣＣ＃１の再送回数よりも大きいときには、ＣＣ＃０よりも多くの信号点が含まれるコンスタレーションをＣＣ＃１に対応付ける。
【０１１０】
なお、上記説明では、再送回数の大小で比較しているが、総送信回数(初回+再送回数)で比較してもよい。さらに、最大再送回数が１回のシステムでは、初回送信であるか再送送信であるかのみを比較してもよい。
【０１１１】
〈ＭＣＳレベル〉
下り制御チャネルでは、下りデータチャネルを復調するための制御情報が通知される。セル間干渉電力が大きい場合には、制御チャネルのMCSは、低レートの変調方式（又は、符号化率）に設定される。そして、セル間干渉電力が大きい場合には、パケット誤り率が増大する傾向がある。従って、各下りコンポーネントキャリアの制御チャネルのＭＣＳ（Modulation and Coding Scheme）レベル（つまり、下りコンポーネントキャリア毎の下り制御チャネルの示す変調方式、符号化方式）に基づいて、各下りコンポーネントキャリアの下りデータチャネルの誤り率の大小関係を判断することができる。
【０１１２】
従って、制御部４０１は、例えば図１７に示すように、ＣＣ＃０のＭＣＳレベルがＣＣ＃１のＭＣＳレベルよりも小さいときには、ＣＣ＃１よりも多くの信号点が含まれるコンスタレーションをＣＣ＃０に対応付ける。一方、ＣＣ＃０のＭＣＳレベルがＣＣ＃１のＭＣＳレベルよりも大きいときには、ＣＣ＃０よりも多くの信号点が含まれるコンスタレーションをＣＣ＃１に対応付ける。
【０１１３】
なお、ＬＴＥ規格書では、制御チャネルのＭＣＳレベル情報の代わりとして、制御チャネルを多重する領域数（つまり、CCE数）に関する情報が用いられる（図１８参照）。これは、CCE数が多いほど、ＭＣＳレベルの低い変調方式または符号化率で送信される。
【０１１４】
［実施の形態５］
実施の形態５では、端末が応答信号の送信に用いる応答信号送信ルールにおいて、コンスタレーションＡと、コンスタレーションＡよりも含んでいる信号点の数が少ないコンスタレーションＢとが用意され、コンスタレーションＢが対応付けられるコンポーネントキャリアの誤り率は、コンスタレーションＡが対応づけられるコンポーネントキャリアよりも小さい。また、コンスタレーションＢに含まれる信号点が用いられる確率の合計は、コンスタレーションＡに含まれる信号点が用いられる確率の合計よりも大きい。なお、実施の形態５に係る基地局及び端末の基本構成は、実施の形態４と共通する。
【０１１５】
実施の形態５の端末４００において、制御部４０１は、基地局３００から送信される、下りコンポーネントキャリア毎の下りデータチャネルの誤り率に関連する情報に基づいて、応答信号の送信を制御する。すなわち、制御部４０１は、基地局３００から送信される、下りコンポーネントキャリア毎の下りデータチャネルの誤り率に関連する情報に基づいて、応答信号のフィードバックに用いる上りコンポーネントキャリアと信号点との組み合わせルールを変更する。
【０１１６】
上記変更された組み合わせルールでは、図１９に示すように、下りデータがマクロセルの２つの下りコンポーネントキャリアで送信され、且つ、そのマクロセルの２つの下りコンポーネントキャリアの内の第１コンポーネントキャリア（ＣＣ＃０）での誤り率が第２コンポーネントキャリア（ＣＣ＃１）での誤り率よりも大きい場合、マクロセルの第１コンポーネントキャリアに対応付けられる第１のコンスタレーションに含まれる信号点候補の数は、マクロセルの第２コンポーネントキャリアに対応付けられる第２のコンスタレーションよりも多い。
【０１１７】
更に、その第２のコンスタレーションに含まれる信号点には、発生確率の高い受信成否パターンから順番に対応付けられる。すなわち、図１９では、ＣＣ＃０及びＣＣ＃１で下りデータの受信に成功した受信成否パターン、ＣＣ＃０で下りデータの受信に失敗し且つＣＣ＃１で下りデータの受信に成功した受信成功パターンの発生確率が高い。従って、その両パターンが、第２のコンスタレーション（図１９ではＢＰＳＫのコンスタレーション）の信号点に対応付けられる。なお、図１９では、計算を簡単にするために、PDCCHの受信ミス(DTX)の確率は０としている。こうして、発生確率の高い受信成否パターンをBPSKに割当ることで、BPSKが用いられる確率を高めることができる。これにより、隣接セルへの干渉量を低減できる。
【０１１８】
［他の実施の形態］
（１）実施の形態１では、ＣＣとコンスタレーションとの対応パターンに関する情報を基地局１００が端末２００へ通知しているが、これに限定されない。全てのＣＣで下りデータの受信に成功した受信成否パターンのときに用いられるＣＣの識別情報を通知しても良い。これは、全てのＣＣで下りデータの受信に成功した受信成否パターンのみが、いずれのＣＣで送信されても良いためである。
又は、コンスタレーション間における、信号点の数の多少を通知しても良い。
また、これらの通知は、端末２００毎に行われても良いし、セル全体に行われても良い。
さらに、フェムトセルから近い端末２００のみが、上記の通知による指示に従い、それ以外の端末２００は予め決められたランダムなＣＣでQPSKに対応するコンスタレーションを使って応答信号を送信しても良い。これは、セル全体に通知する場合には、チャネルセレクションする全端末２００が同一のＣＣでQPSKに対応するコンスタレーションを用いて応答信号を送信するでPUCCHが集中することを防止するためである。
また、チャネルセレクションの代わりとして、Bundling(ACK/NACKの論理積)する場合でも、BundlingのPUCCHを送信するCCを通知することで、同様にフェムトセルへの干渉を低減できる。
【０１１９】
（２）実施の形態１では、コンポーネントキャリアの数を２として説明したが、これに限定されない。コンポーネントキャリア数が３以上の場合にも、コンスタレーション間における、信号点数の多少を通知することにより、実施の形態１と同様の実施が可能である。
【０１２０】
（３）実施の形態４では、基地局３００及び端末４００のそれぞれが、コンポーネントキャリア間の誤り率の大小を判断しているが、これに限定されない。基地局３００がその判断を行い、判断結果を端末４００へ制御情報に含めて通知しても良い。
【０１２１】
（４）実施の形態４において、例えば、ACK、NACKの発生確率が同じであっても、ACK/ACKの信号点(QPSKの方)の発生確率は高い。このため、QPSKに対応するコンスタレーションを用いて送信するCCを端末４００毎に分散させるために、QPSKに対応するコンスタレーションを用いて送信するCCを基地局３００から端末４００へ通知する方法が有効である。
【０１２２】
（５）実施の形態２の最大送信電力(Pmax)は、端末２００が送信できる最大値であったが、これに限定されない。逆に、基地局１００の下りCC毎の送信電力を基地局１００と端末２００との間でやり取りし、送信電力の大きい下りCCに対応する上りCCにおいて、端末２００がQPSKに対応するコンスタレーションを用いて応答信号を送信するようにしても良い。
【０１２３】
（６）実施の形態１乃至３では、フェムトセルに隣接するマクロセル基地局と通信をしている端末のPUCCHのチャネルセレクション時のコンスタレーションについて説明した。しかしながら、これに限定されるものはなく、隣接セル間のセルの大きさを相対的に比較し、各基地局が隣接セルとの間の干渉の大きさに関する相対関係を考慮して、PUCCHのチャネルセレクション時のコンスタレーションについて判断してもよい。つまり、明確に、フェムトセル、マクロセルという定義がない場合において、セル間干渉電力に対する干渉耐性を考慮して、最適なコンスタレーションを選ぶことが可能となる。
また、マクロセルに隣接するフェムトセル基地局と通信をしている端末においても、フェムトセル基地局からPUCCHのチャネルセレクション時のコンスタレーションを通知することで、チャネルセレクション時の受信特性を向上できる。この場合のコンスタレーションに含まれる信号点候補の数については、フェムトセルにおける干渉耐性が高いコンポーネントキャリアに対応付けられるコンスタレーションよりも、干渉耐性が低い第２コンポーネントキャリアに対応付けられる第２のコンスタレーションの方が多い。
【０１２４】
（７）上記各実施の形態では、本発明をハードウェアで構成する場合を例にとって説明したが、本発明はソフトウェアで実現することも可能である。
【０１２５】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１２６】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１２７】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１２８】
２０１０年１月２９日出願の特願２０１０−０１８７１５の日本出願に含まれる明細書、図面および要約書の開示内容は、すべて本願に援用される。
【産業上の利用可能性】
【０１２９】
本発明の基地局、基地局、端末、再送制御方法、及び応答方法は、キャリアアグリゲーション及びチャネルセレクションが適用される場合に、近くのセルの受信特性の劣化を防止することができるものとして有用である。
【符号の説明】
【０１３０】
１００，３００  基地局
１０１，３０３  応答方式制御部
１０２，１０３，１０４  符号化部
１０５，１０６  データ送信制御部
１０７，１０８，１０９，２１９，２２０  変調部
１１０，１１１，１１２  直並列変換部
１１３，２２３  多重部
１１４  ＩＦＦＴ部
１１５，２２５  ＣＰ付加部
１１６，２２６  無線送信部
１１７，２０１  無線受信部
１１８，２０２  ＣＰ除去部
１１９，２２１，２２２  ＤＦＴ部
１２０，２０５  分離部
１２１，１２２，２０４  チャネル補償部
１２５，１２６，２０９，２１０，２１１  復調部
１２７  チャネルセレクション判定部
２００，４００  端末
２０３  ＦＦＴ部
２０６，２０７，２０８  並直列変換部
２１２，２１３，２１４  復号部
２１５  誤り判定部
２１６  判定部
２１７，４０１  制御部
２１８  チャネルセレクション部
２２４  ＩＤＦＴ部
３０１，３０２  制御情報決定部
【図１】
0005596059.tif 000002
【図２】
0005596059.tif 000003
【図３】
0005596059.tif 000004
【図４】
0005596059.tif 000005
【図５】
0005596059.tif 000006
【図６】
0005596059.tif 000007
【図７】
0005596059.tif 000008
【図８】
0005596059.tif 000009
【図９】
0005596059.tif 000010
【図１０】
0005596059.tif 000011
【図１１】
0005596059.tif 000012
【図１２】
0005596059.tif 000013
【図１３】
0005596059.tif 000014
【図１４】
0005596059.tif 000015
【図１５】
0005596059.tif 000016
【図１６】
0005596059.tif 000017
【図１７】
0005596059.tif 000018
【図１８】
0005596059.tif 000019
【図１９】
0005596059.tif 000020